(57)【要約】【課題】安全的な低圧電流を具えた美容マッサージをする時に便利で、操作が簡単な健康美容器具を提供する。【解決手段】本考案は主にエネルギーウエーブ発生器からなり、該エネルギーウエーブ発生器１上には複数の挿接孔１０、つまみスイッチ１１、調整ボタン１２が部に設置され、該挿接孔１０にはプラス極コネクタ−１３０とマイナス極コネクター１３１が端に設置された導電線１３が挿接され、電気伝導片２、３はエネルギーウエーブ発生器１と電線２０、３０によって連結し、該電気伝導片２、３の下方には絶縁パッド４が設置されることによって、セルフ操作により健康なマッサージの効能に到達することが可能となる。【選択図】  図１
0003119782.tif 000002
【実用新案登録請求の範囲】
【請求項１】
複数の信号資料が内部に設けられてなるマイクロプロセッサー、
該マイクロプロセッサーから送られる信号資料をデジタル信号からアナログ信号へと変換する信号発生器、
該信号発生器によって発生させたアナログ信号の過度なノイズを濾すフィルター、
該マイクロプロセッサーのコントロールを受け、フィルター後のウエーブモードの周波数を変化させる減衰器、
電圧の大きさを調整する利益アンプ、
該利益アンプの出力端と接続し、信号ドライブのエネルギーを大きくし、さらに端に制限器を設置してなり、出力される電力を安全な範囲内にコントロールするアクチュエーター、
該アクチュエーターと連結し、アナログ信号をデジタル信号に変換し、並びに信号を該マイクロプロセッサー上に回送し、さらに出力端には二つの電気伝導片に連結することができる一組の電極が設置されてなるテスター、
該アクチュエーター上に連結し、電圧の出力の強さを表示する電圧表示器、
以上のものによってなるエネルギーウエーブ発生器が二つの電気伝導片と接続されることを特徴とする健康美容器具。
【請求項２】
前記エネルギーウエーブ発生器上には複数の挿接孔、つまみスイッチ、調整ボタンが設置され、
該挿接孔はプラス極とマイナス極のコネクターが端に設置された導電線によって挿接され、
該つまみスイッチは電源スイッチと電流の大きさをコントロールし、
該調整ボタンはマッサージのウエーブの幅の高さや周波数の長さを調整およびコントロールし、
前記電気伝導片はエネルギーウエーブ発生器と電線によって連結し、
該電線の端に設置されてなる挿接端はそれぞれエネルギーウエーブ発生器のプラス極とマイナス極のコネクターの導電線に連結され、
該電気伝導片の下方には絶縁パッドが設置されてなることを特徴とする請求項１記載の健康美容器具。
【請求項３】
前記エネルギーウエーブ発生器が２つのうちの一片の電気伝導片に置き換えられてなる導電カバーと接続してなり、
該導電カバーと接続する電線の端には挿接端とエネルギーウエーブ発生器の導電線のうちの１つのコネクターと挿接してなり、
該導電カバーの正面には電気伝導片が設置してなり、さらに内回りには手袋部が設けられてなることを特徴とする請求項２記載の健康美容器具。
【考案の詳細な説明】
【技術分野】
【０００１】
本考案は保健美容器具に関するもので、特にエネルギーウエーブ発生器が二つの電気伝導片と接続されることを特徴とする健康美容器具に係るものである。
【背景技術】
【０００２】
公知の電気伝導片はツボ周辺に貼ることによって、低圧電流を人体に導入して、針灸の治療効果に類似する電気療法を施し、また公知の針灸又は電気療法は慢性病の治療を補助をするほかに、痛みや新陳代謝にも作用し、さらには健康美容の運用においても使用される。しかし、公知のツボ電気治療は定まった位置に対して低圧電流によって電撃作用をするため、作用させるツボの位置を変えたい場合は剥がして貼りなおす必要があり、さらには大きな面積の使用が出来ず、位置を移動する時の操作も面倒であり、加えて安全な治療効果を得るためには専門の医師によって施行される必要がある。
【０００３】
また、公知の電気治療器具は電流を人体に導入する時、開始作用時に高電圧を発生させるため、突然感電して利用者を驚かせてしまい、使用者に対して快適なサービス及び適切な療法効果を提供することが出来ない。
【０００４】
一般に健康美容マッサージをする時の伝統的な方法としては、まずマッサージを受ける者は横たわり、美容師（又はマッサージ師）はその側面に（頭部または脚部において）立ってから、美容師が両手によってマッサージを受ける者の身体上においてマッサージ或いは按摩を加える方法がある。按摩の効果をより深くしたい時に美容師（又はマッサージ師）は手に力を入れてマッサージを受ける者の身体上において推す、掴む、捏ねる、抓む、押す、叩く、打つ、揉むなど以上の動作を繰り返すことによって按摩の治療効果にもたらす。このため、美容師（又はマッサージ師）にとっては体力が極端に消費され、且つ長時間の作業の後には、手の関節の疲労を造成し、身体に害をもたらす恐れがあり、さらにはマッサージを受ける者にとっても、按摩の力及び深さが同一でなければ、マッサージを受ける者に対して快適で適切な療法効果を提供することが出来ない。
【特許文献１】特開２００５−２６１６６２号公報
【考案の開示】
【考案が解決しようとする課題】
【０００５】
公知の構造には以下の欠点があった。
すなわち、定まった位置に対して低圧電流によって電撃作用をするため、作用させる位置を変える場合は貼りなおす必要があり、さらには使用面積が小さく、位置を変える時の操作も面倒であり、加えて安全な治療効果を得るには専門の医師によって施行される必要がある。さらに、公知の電気治療器具は、電流を人体に導入する時、開始作用時に高電圧が生じるため、突然電流を感じた利用者は驚いてしまい、使用者に対して快適なサービス及び適切な療法効果を提供することが出来ない。
本実用新案の目的は、安全的な低圧電流を具えた美容マッサージをする時に便利で、操作が簡単な健康美容器具を提供することである。
【課題を解決するための手段】
【０００６】
上記課題を解決するために、本考案は、下記の特徴を有する健康美容器具を提供する。
１．請求項１に記載の健康美容器具は、複数の信号資料が内部に設けられてなるマイクロプロセッサー、該マイクロプロセッサーから送られる信号資料をデジタル信号からアナログ信号へと変換する信号発生器、該信号発生器によって発生させたアナログ信号の過度なノイズを濾すフィルター、該マイクロプロセッサーのコントロールを受け、フィルター後のウエーブモードの周波数を変化させる減衰器、電圧の大きさを調整する利益アンプ、該利益アンプの出力端と接続し、信号ドライブのエネルギーを大きくし、さらに端に制限器を設置してなり、出力される電力を安全な範囲内にコントロールするアクチュエーター、該アクチュエーターと連結し、アナログ信号をデジタル信号に変換し、並びに信号を該マイクロプロセッサー上に回送し、さらに出力端には二つの電気伝導片に連結することができる一組の電極が設置されてなるテスター、該アクチュエーター上に連結し、電圧の出力の強さを表示する電圧表示器、以上のものによってなるエネルギーウエーブ発生器が二つの電気伝導片と接続されることを特徴とする。
２．請求項２に記載の健康美容器具は、請求項１の場合において、
前記エネルギーウエーブ発生器上には複数の挿接孔、つまみスイッチ、調整ボタンが設置され、該挿接孔はプラス極とマイナス極のコネクターが端に設置された導電線によって挿接され、該つまみスイッチは電源スイッチと電流の大きさをコントロールし、該調整ボタンはマッサージのウエーブの幅の高さや周波数の長さを調整およびコントロールし、前記電気伝導片はエネルギーウエーブ発生器と電線によって連結し、該電線の端に設置されてなる挿接端はそれぞれエネルギーウエーブ発生器のプラス極とマイナス極のコネクターの導電線に連結され、該電気伝導片の下方には絶縁パッドが設置されてなることを特徴とする。
３．請求項３に記載の健康美容器具は、請求項２の場合において、
前記エネルギーウエーブ発生器が２つのうちの一片の電気伝導片に置き換えられてなる導電カバーと接続してなり、該導電カバーと接続する電線の端には挿接端とエネルギーウエーブ発生器の導電線のうちの１つのコネクターと挿接してなり、該導電カバーの正面には電気伝導片が設置してなり、さらに内回りには手袋部が設けられてなることを特徴とする。
【考案の効果】
【０００７】
本考案の健康美容器具は、下記の効果がある。
１．使用操作が簡単で、且つ美容師（又はマッサージ師）が力を使ってマッサージや按摩をしなくとも、健康なマッサージの効能に到達することを可能となる。
２．安全な低圧電流を利用しているため、使用時の安全性も高く、公知の装置のように一箇所に対して焼けるような、または刺すような痛みをもたらすことがなく、快適なマッサージを提供することが出来る。
３．本考案はテスターを有しているため、自動に緩やかにウエーブ幅の強さを上げるため、使用者が突然電極に触れることによって生じる驚きを回避できる。
４．コントロールスイッチによって電源スイッチ及び電流の大きさをコントロールし、さらに調整ボタンによってマッサージのウエーブの幅の高さや周波数の長さを調整し、コントロールすることで個人の異なるマッサージの強さと深さに対する需要に対応できる。
５．本考案によってマッサージを行うことによって、細胞が刺激され、活力が増強され、さらに免疫力も高まり、血管拡張を促進することにより血液の循環を改善し、新陳代謝を促進し、さらには体力の消耗を最低限に抑えながらも運動の効果に達することから、健康と美容を促進することができる。また、人体の細胞膜の電位を高めることにより、細胞内外のイオンバランスを正常化し、細胞のエネルギー代謝を増強し遊離基を一掃する。また、血液の循環を促進することにより、末梢血管の血液の酸素含有量を増進し、筋肉の疲労を取り除き、有機体の抵抗力を高める。さらに、人体の新陳代謝率を高め、身体の脂肪の代謝効能を増強し、毒素を一掃し、美顔、スキンケア、炎症を取り去って痛みを止める等の効果を得ることができる。
【考案を実施するための最良の形態】
【０００８】
図１〜５に示されるように、本考案は、主にエネルギーウエーブ発生器１からなり、該エネルギーウエーブ発生器１上には数の挿接孔１０、つまみスイッチ１１、調整ボタン１２が設置される。該挿接孔１０には端にそれぞれプラス極とマイナス極のコネクター１３０、１３１が設置されてなる導電線１３が挿接され、該つまみスイッチ１１は電源スイッチ及び電流の大きさをコントロールし、該調整ボタン１２はマッサージのウェーブの幅の高低を調整し、周波数の長さをコントロールし、さらにエネルギーウエーブ発生器１上には電圧の強さや大きさを表示する電圧表示器１４、功能を調整する功能表示器１５及び入力選択キーが設置され、二つの電気伝導片２、３はエネルギーウエーブ発生器１と電線２０、３０によって連接され、該電線２０、３０の端にはそれぞれ挿接端２００、３００が設置され、該挿接端２００、３００にはエネルギーウエーブ発生器１に連接してなる導電線１３のプラス極、マイナス極のコネクター１３０、１３１が挿接され、且つ電気伝導片２、３の下方には絶縁パッド４が設置される。
【０００９】
上記エネルギーウエーブ発生器１の導電線１３と連接してなる導電カバー５は、エネルギーウエーブ発生器１の導電線１３のプラス極のコネクター１３０（或いはマイナス極のコネクター１３０）と挿接し、端に挿接端５００が設置してなる電線５０が延接され、該導電カバー５の正面には電気伝導片５１が設置され、さらに導電カバー５の背面には対称となるマジックテープ（登録商標）５２、５２´と手部を填めることによって直接あんまやマッサージの動作を行うのに便利なように、環型バックルを形成してなる手袋部５３が設置され、さらに導電カバー５の内部は絶縁材質によって製造される。
【００１０】
図２に示されるように、本考案のエネルギーウエーブ発生器１の電気回路ブロック図の中のマイクロプロセッサー１０１は内に設けられた各項の情報を信号発生器１０２に送り、そして信号発生器１０２ではデジタル信号をアナログ信号へと変換し、さらにフィルター１０３によって混雑しているウエーブを除去し、減衰器１０４はマイクロプロセッサー１０１のコントロールを受けてフィルター後のウエーブモードを調整して周波数に変換し、信号セレクトスイッチ１０５は減衰器１０４と外部信号を入力する所に設置され、電圧の大きさを調整するために、利益アンプ１０６は減衰器１０４或いは信号セレクトスイッチ１０５の後ろに設置され、アクチュエーター１０７は利益アンプ１０６の出力端に連結し、信号ドライブのエネルギーを増大させ、出力端に設置されてなる制限器１０７０は正温度係数であることができ、電流が大きいほど制限器１０７０のインピーダンスに随って増大し、出力された電流を人体が受容できる安全の範囲内にコントロールし、さらにテスター１０８とアクチュエーター１０６と連結し、アナログ信号をデジタル信号へと変換し、さらに信号をマイクロプロセッサー１上に回送し、且つ出力端に設置された一組の電極出力１０８０はマイクロプロセッサー１のコントロールを受け、さらに挿接孔１０と連結し、アクチュエーター１０７上に連続して設置された電圧表示器１４は複数のＬＥＤによって構成され、出力された電圧の強さを表示することが出来る。
【００１１】
図１、３に示されるように、操作を行う時は、まず電気伝導片２の電線２０の挿接端２００とエネルギーウエーブ発生器１の導電線１３のプラス極のコネクター１３０と挿接し、次に底面に絶縁パッド４を連接した電気伝導片２の上にマッサージを受ける者の足部を裸足の状態で置き、さらにもう一方の電気伝導片３の電線３０の挿接端３００はエネルギーウエーブ発生器１のマイナス極のコネクター１３１と挿接し、底面に絶縁パッド４連接した後に床面に置かれる。美容師（或いはマッサージ師）は裸足で電気伝導片３を踏み、エネルギーウエーブ発生器１に安全に電気が通った後、マイクロプロセッサー１０１によって外部入力ができるかどうか判断し、もしマイクロプロセッサー１０１に入力ができなければ、内定された値である電圧や電流、ウエーブモード、周波数等の資料を設定し、逆に入力できるのであれば、直接電極出力が１つの回路を形成するかどうか（電極の出力に負荷があるかどうか）を判断する。電極出力が回路を形成しない時には、電極出力を低い電位に保ち、もし電極輸出が使用者が形成する回路と連接すれば、電極出力は数秒遅れてから、徐々に内定された電圧や電流、ウエーブモード、周波数等の資料を上昇させ、使用者が突然電極に触ることによって驚かないようにし、さらに意のままに適当なマッサージのウエーブの幅、周波数の長さを調整することができ、電気伝導の媒質される美容師（或いはマッサージ師）の両手が接触することによってマッサージの効能を提供する。
【００１２】
図４に示されるように、美容師（マッサージ師）は電気伝導の媒質となり、裸足で電気伝導片３を踏む代わりに導電カバー５を手に填める。該導電カバー５とエネルギーウエーブ発生器１の連結は電気伝導片３に置換され、さらに、導電カバー５の電線５０の挿接端５００とエネルギーウエーブ発生器１に連結された導電線１３のマイナス極のコネクター１３１と挿接してなる背面をマジックテープ（登録商標）５２、５２´によって粘着固定した導電カバー５の電気伝導片５１をマッサージを受ける者の身体部位と接触させることによっても、同様にマッサージの功能を提供することができる。
【００１３】
図５に示されるように、マッサージを受ける者は自分で電気伝導片２の上を裸足で踏み、さらに自分の手を導電カバー５に填めて身体のマッサージを受けたい部位（頭、顔、首、肩、胸、腹、手、尻、腿等の部位）に接触させるだけでセルフマッサージを行うことが可能となる。その他に、エネルギーウエーブ発生器１は使用者が調整した内定の値に至るまで持続して使用することができ、マイクロプロセッサー１０１に連続して設置された入力選択キー１６及び功能表示器１５において必要とする様式を選択し、同じように外部の電気部門に連接し内定値を改正することができる。
【図面の簡単な説明】
【００１４】
【図１】本考案の立体分解図である。
【図２】本考案のエネルギーウエーブ発生器の電気回路ブロック図である。
【図３】本考案の使用状態の参考図である。
【図４】本考案の使用状態の参考図である。
【図５】本考案の使用状態の参考図である。
【符号の説明】
【００１５】
１  エネルギーウエーブ発生器
１０  挿接孔
１０１  マイクロプロセッサー
１０２  信号発生器
１０３  フィルター
１０４  減衰器
１０５  信号セレクトスイッチ
１０６  利益アンプ
１０７  アクチュエーター
１０７０  制限器
１０８  テスター
１０８０  電極出力
１１  つまみスイッチ
１２  調整ボタン
１３  導電線
１３０  プラス極コネクター
１３１  マイナス極コネクター
１４  電圧表示器
１５  功能表示器
１６  入力選択キー
２  電気伝導片
２０  電線
２００  挿接端
３  電気伝導片
３０  電線
３００  挿接端
４  絶縁パッド
５  導電カバー
５０  電線
５００  挿接端
５１  電気伝導片
５２ 、５２´  マジックテープ（登録商標）
５３  手袋部
【図３】
0003119782.tif 000003
【図４】
0003119782.tif 000004
【図５】
0003119782.tif 000005
【図１】
0003119782.tif 000006
【図２】
0003119782.tif 000007